Podtech/llm-jp-corpus-v4-ja_patent huggingface dataset:
(57)【要約】【課題】車の洗車の際に、車の汚れ、塵をブラシでこすりながら同時に汚れ、塵などを吸引する、又、水道に接続して車をこすりながら洗車できる洗車、吸引ブラシを提供する。【解決手段】樹脂製、又はゴム製の手袋の掴む部分にブラシ片を貼り、汚れ、塵をそのブラシで擦りながら、親指、人差し指、薬指のブラシの周りに這わせた通気孔の明いた軟質の樹脂パイプで、汚れ、塵を掃除機などで吸引し、あるいは水道と接続して洗車できることを特徴とする手袋型洗車・吸引ブラシ。【選択図】図１
0003144847.tif 000002
【実用新案登録請求の範囲】
【請求項１】
車両、自転車、オートバイ等の洗車に、ゴム製、又は樹脂製の手袋の表面の内側面に楕円、長方形等の形状をした樹脂製のブラシ１０〜２０個を接着剤で手の指の屈伸可能な位置に固定し設けた事を特徴とする手袋型洗車・吸引ブラシ。
【請求項２】
洗車、吸引ブラシに貼付した樹脂製のブラシ単体の台座の中心部に小穴を設け、小穴に樹脂パイプを固定する金具を設けた請求項１記載の手袋型洗車・吸引ブラシ。
【請求項３】
ゴム製、樹脂製の洗車手袋の表面内側複数の指部分に軟質の樹脂パイプを這わせ、その樹脂パイプを金具で固定し、その樹脂パイプには無数の通気孔を設け、ブラシで落とした汚れや塵などを吸引又は水を送り洗車することを特徴とする請求項１〜２のどちらか１項に記載の手袋型洗車・吸引ブラシ。
【請求項４】
ゴム製、樹脂製手袋の表面丙側面に、スポンジを接着剤で固定するか、あるいは、手袋の表面内側面に直接ブラシを植毛する事を特徴とする手袋型洗車ブラシ。
【考案の詳細な説明】
【技術分野】
【０００１】  本考案は、車両、自転車、オートバイ、建築物、家具類等の汚れ、塵をブラシで擦りながら同時に電気的に吸引し又は、水道に接続して洗車する事を可能にした、手袋型洗車、吸引用ブラシに関する。
【背景技術】
【０００２】  従来は、車両、自転車、オートバイ等の特に汚れのひどい箇所の汚れや、塵をブラシで擦り、汚れを落としてから、自動で擦りながら水道水を噴射し洗車するような洗車器具は数種類市販されているが、高価であり、なかなか購入は難しいため、洗車場での洗車をする人が多い。
又、次のような特許公開、実用新案が登録されている。
【特許文献１】特開２００７−０３０８５９
【非特許文献１】実登３０８８０９９
【考案の開示】
【考案が解決しようとする課題】
【０００３】  それには次のような問題点があった。
従来は、上記のように洗車方法は手洗いで水道の水圧を利用しているため無駄が多く、又、高圧洗浄機、又は洗車場の自働洗車装置に依存している。本考案は、以上の問題点を解決するために、安い市販のゴム手袋を利用し、ブラシを無数取付けそのブラシの周りに無数の通気孔の明いた樹脂パイプをめぐらし、汚れ、塵などを擦りながら、その汚れ、塵などを吸引機又は掃除機で吸引し、又水道水に直結して洗車する事で、洗車時間と労力とを大幅に削減し、節水できる安価な手袋型洗車、吸引ブラシを提供し問題点を解決しようとするものである。従って、洗車ブラシを持つ必要がない。
【課題を解決するための手段】
【０００４】  ゴム製、又は樹脂製の手袋の表面部内側の各指の長手方向中心部に小穴を設けた台付きのブラシを無数手袋上に接着剤で固定し、手袋の親指部、人差し指部、薬指部に無数の通気孔を設けた樹脂パイプを台付きブラシの周りに設け、パイプ止め金具でパイプと台付きブラシとを固定する。各指の手袋の樹脂パイプの両端は手袋の手の挿入部で６本一緒にまとめられ、太い樹脂パイプに一体となるように構成され、吸引の掃除機又は水道と接続して両者を使い分ける構成にし問題点を解決している。
【考案の効果】
【０００５】  本考案によってブラシのついた手袋を手にはめ、裏側の汚れまで手の平感覚で擦る事ができ、又その汚れや塵を即吸引できるため、その周囲の空気を汚さずにすみ、又水道に繋ぎ水で洗車できるため、周りを汚さず洗車できるし、車両だけでなく指先が届く範囲は全て洗える安価な手袋型洗車、吸引ブラシである。
【考案を実施するための最良の形態】
【０００６】  以下、本考案の実施の形態を説明する。
ゴム製、又は樹脂製の手袋１の表面部内側２の各指の長手方向中心部に小穴４を設けた台付きのブラシ３を無数手袋上の指の屈伸可能な位置に接着剤で固定し、手袋の親指部、人差し指部、薬指部に無数の通気孔９を設けた樹脂パイプ５を台付きブラシ３の周りに設け、パイプ止め金具６でパイプ５と台付きブラシ３とを固定する。各指の手袋の樹脂パイプの両端は手袋の挿入部で６本一緒にまとめられ、太い樹脂パイプ７と一体とし、太いパイプ７の他方は掃除機等の吸引、又は水道と接続して使い分けるような構造になっている。尚左手右手がある。
本考案は、以上の構成よりなっている。
【図面の簡単な説明】
【０００７】
【図１】  本考案のゴム又は樹脂製手袋の平面図
【図２】  本考案のゴム又は樹脂製手袋の正面図
【図３】  本考案の台付きブラシの正面図
【図４】  本考案の台付きブラシ右側面図
【図５】  本考案の樹脂パイプＡ止め金具の平面図
【図６】  本考案の樹脂パイプＡ止め金具の正面図
【図７】  本考案の樹脂パイプＡの平面図
【図８】  本考案の樹脂パイプＡ止の平面図
【図９】  本考案の写真代行図
【符号の説明】
【０００８】    １  ゴム製又は樹脂製手袋本体
２  手袋の表面部の内側
３  台付きブラシ
４  小穴
５  樹脂パイプＡ
６  パイプ止め針金
７  樹脂パイプＢ
８  手の挿入部
９  樹脂パイプの通気孔
【図１】
0003144847.tif 000003
【図２】
0003144847.tif 000004
【図３】
0003144847.tif 000005
【図４】
0003144847.tif 000006
【図５】
0003144847.tif 000007
【図６】
0003144847.tif 000008
【図７】
0003144847.tif 000009
【図８】
0003144847.tif 000010
【手続補正書】
【提出日】平成20年7月14日(2008.7.14)
【手続補正１】
【補正対象書類名】明細書
【補正対象項目名】０００７
【補正方法】変更
【補正の内容】
【０００７】
【図１】  本考案のゴム又は樹脂製手袋の平面図
【図２】  本考案のゴム又は樹脂製手袋の正面図
【図３】  本考案の台付きブラシの正面図
【図４】  本考案の台付きブラシ右側面図
【図５】  本考案の樹脂パイプＡ止め金具の平面図
【図６】  本考案の樹脂パイプＡ止め金具の正面図
【図７】  本考案の樹脂パイプＡの平面図
【図８】  本考案の樹脂パイプＡの正面図
【図９】  本考案の写真代行図
【手続補正２】
【補正対象書類名】図面
【補正対象項目名】全図
【補正方法】変更
【補正の内容】
【図１】
0003144847.tif 000011
【図２】
0003144847.tif 000012
【図３】
0003144847.tif 000013
【図４】
0003144847.tif 000014
【図５】
0003144847.tif 000015
【図６】
0003144847.tif 000016
【図７】
0003144847.tif 000017
【図８】
0003144847.tif 000018
【図９】
0003144847.tif 000019
(57)【要約】      （修正有）【課題】耳の皮膚を傷めて炎症等が起きるのを防止する呼吸器酸素療法用カニューラチューブ保持具及び止め具を提供する。【解決手段】カニューラチューブ保持具は、呼吸器酸素療法用カニューラチューブの２ケ所を、フリーサイズのヘアーバンドに取付けられた２個のフックに引掛けて使用し、カニューラチューブ止め具は、クリップ付きスライド管を衣服の襟元、上着のポケットなど任意の場所にタワミをもたせてクリップ止めをする。直接耳に掛けることがないため、発疹・タダレ・スリ傷など耳の皮膚を傷めて炎症を起こすことなどを防止できる。【選択図】図２
0003144843.tif 000002
【実用新案登録請求の範囲】
【請求項１】
呼吸器酸素療法用カニューラチューブを、両耳にかけずにフリーサイズのヘアーバンドの両耳の少し前位置に取付けられた２ケのフックに掛けて使用する保持具
【請求項２】
呼吸器酸素療法用カニューラチューブに、取外しも可能なクリップ付きスライド管を通し、分岐管からの位置を任意に決めて、襟元または上着のポケットなどにクリップする止め具．
【考案の詳細な説明】
【技術分野】
【０００１】本考案は、呼吸器酸素療法用カニューラチューブを保持または不安定防止とタワミによる緩衝効果を目的とした保持具・止め具である。
【背景技術】
【０００２】従来の呼吸器酸素療法用カニューラチューブは、発疹・タダレ・スリ傷など耳の皮膚の傷み・炎症または顔面などへの負担軽減や不安定な動き防止などについて何の対策もとられていなかった。
【考案の開示】
【考案が解決しようとする課題】
【０００３】従来の呼吸器酸素療法用カニューラチューブは、そのまゝ耳に掛けて使用すると発疹・タダレ・スリ傷など耳の皮膚を傷めて炎症を起したり、タワミによる緩衝効果の無さや不安定な動きをすることなどの欠点を解決しようとするものである。
【課題を解決するための手段】
【０００４】本考案は呼吸器酸素療法用カニューラチューブの皮膚への悪影響を無くす保持法または、不安定さなどを除くとともにタワミによる緩衝効果を求めて保持具や止め具を用意したものである。
【考案の効果】
【０００５】呼吸器酸素療法用カニューラチューブ保持具を使用することにより発疹・タダレ・スリ傷など耳の皮膚を傷めて炎症を起すことなどを防止できる。
また、カニューラチューブ止め具を使用することにより、直接チューブ・元チューブなどに引張られることなく、カニューラチューブのタワミによる緩衝効果と不安定な動き防止効果、顔面の負担軽減が実現できる。
【考案を実施するための最良の形態】
【０００６】呼吸器酸素療法用カニューラチューブをフリーサイズのヘアーバンドに取付けられた２ケのフックに掛けて使用するカニューラチューブ保持具、また、呼吸器酸素療法用カニューラチューブに取付けられたクリップ付きスライド管のクリップによって衣服の襟元、上着のポケットなど任意の場所にタワミを持たせてクリップして使用するカニューラチューブ止め具
【実施例】
【０００７】カニューラチューブ保持具は、呼吸器酸素療法用カニューラチューブの２ケ所を、フリーサイズのヘアーバンドに取付けられた２ケのフックに引掛けて使用し
カニューラチューブ止め具は、クリップ付きスライド管を衣服の襟元、上着のポケットなど任意の場所にタワミをもたせてクリップ止めをする。
【産業上の利用可能性】
【図面の簡単な説明】
【０００８】
【図１】
0003144843.tif 000003
【図２】
0003144843.tif 000004
【図３】
0003144843.tif 000005
【図４】
0003144843.tif 000006
【手続補正書】
【提出日】平成20年7月11日(2008.7.11)
【手続補正１】
【補正対象書類名】明細書
【補正対象項目名】０００８
【補正方法】変更
【補正の内容】
【０００８】
【図１】従来どうりに呼吸器酸素療法用カニューラチューブを両耳にかけて使用している状況
【図２】呼吸器酸素療法用カニューラチューブを、ヘアーバンドに取付けられた保持具に引掛け、カニューラチューブ分岐管までの中間任意の位置に設けた止め具でカニューラチューブにタワミを持たせて使用している状況
【図３】呼吸器酸素療法用カニューラチューブを保持するフック付きのヘアーバンド単独の状態
【図４】呼吸器酸素療法用カニューラチューブに取付けたスライド管付きクリップ単独の状態
(57)【要約】      （修正有）【課題】便器内の悪臭を直接排除できる便座直接排除装置を提供する。【解決手段】直接に悪臭を解消するために、便器の便座の裏側に長方形、丸形の穴の吸収口をもったゴムホース（ビニールホース、合成樹脂等）を取り付ける。そのホースが便座の４つの足の隙間を塞ぎ、便器内を密閉に近い状態にする。その状態の中で排泄物に一番近いところに長方形の吸収口をもつホースをセットする。そのホースで大便から出る悪臭を掃除機の方法で吸収し、排出する。【選択図】図３
0003144842.tif 000002
【実用新案登録請求の範囲】
【請求項１】
便器の便座と同じ形で丸型や長方形の吸収口をつけたゴムホースを便座の四っの足の隙間に取り付け、排泄物の回りを密封し、便器内の悪臭を直接に吸収する構造
【考案の詳細な説明】
【技術分野】
【０００１】  本案は、便器内の悪臭を直接に排除する方法に関するものである。
【背景技術】
【０００２】  家庭の便所や大衆の便所内は大便を使用した後の悪臭が放置されている。
【考案の開示】
【考案が解決しようとする課題】
【０００３】  大便の使用後は悪臭が漂うため、窓、換気扇やカートレッヂを取り付け、それだけでも解決できず、市販の消臭液や花を間接的に置いている現状である。
【課題を解決するための手段】
【０００４】  本案は便器の座板の裏側にゴム（ビニール・合性樹脂等）ホースを直接に取り付け、悪臭を取り除く構造である。便座の裏側には４つの足があり、その隙間に数個の吸収口をつけたゴムホースをＵ字形に取り付け、便器内を密閉し、掃除機の方法で悪臭を吸収し、排出する。また換気扇を利用して外に排出することもできる。
【考案の効果】
【０００５】  上述の様にゴムホースが便座の隙間を塞ぐため、便器内は密封され、直接の吸収が効果的となる。吸収口は丸と長方形があり、長方形の穴は肛門の一番近くに置き、大部分の悪臭を吸収し、漂う一部は丸形の穴で吸収する。ホース内は活性炭で処理する。使用後は便座にふたをすると完璧で，電気量の節約にもなる。
【考案の実施するための最良の形態】
【０００６】  現在の座板に直接吸収口を開けるとひび割れの原因となり、不衛生の面もある。本案の便器内のホースも汚れる恐れがあるため、素人でも簡単に取り替えられる仕組みである。その役割を果たしているのがＹ字形パイプ式交換接続器で、座板の上下にも影響がない。
【実施例】
【０００７】  ゴムホースの太さは座板の足の高さに併せ、便座の上げ下げのための蝶番の関係で、左右に取り付けるホースの長さは違う。接続器は取り替えやすく、小型である。本案の方法で取り付けた便所はさわやかな室内となり、花などを飾れば爽快な部屋となる。
【産業上の利用可能性】
【０００８】  現在は水洗便所となり、お尻を洗う装置もつき、将来は健康管理の機械も導入される時代になる時に、悪臭を無くす本案は大変な必要な条件となる。
【図面の簡単な説明】
【０００９】
【図１】ゴムホースの正面図
【図２】Ｙ字形パイプ式交換接続器の平面図
【図３】完成図
【符号の説明】
【００１０】１  活性炭
２  丸形の吸収口
３  長方形の吸収口
４  吸収ゴムホース取付部
５  Ｙ字形パイプ式交換接続器
６  排出ゴムホース取付部
７  吸収ゴムホース
８  Ｙ字形パイプ式交換接続器
９  排出ゴムホース取付部
【図１】
0003144842.tif 000003
【図２】
0003144842.tif 000004
【図３】
0003144842.tif 000005
(57)【要約】【課題】手荷物を持つ事が困難な事の多い祭典時において、人の動きを妨げず、開閉も容易で、祭り衣装の装飾となる巾着袋を提供すること。【解決手段】本考案は、巾着袋本体１の片面に腹掛けの結び紐や、半被等の帯の通し口３を設け、それらを通し腰部に密着させて使用する事により、祭典時の動きや巾着の開閉が容易となり、衣装と一体化して和装に調和する事を特徴とした巾着袋。【選択図】図１
0003144861.tif 000002
【実用新案登録請求の範囲】
【請求項１】
巾着本体の片面に通し口を設け、祭り腹掛け・股引の紐、半被の帯等を通して使用出来る所を特徴とする巾着袋。
【考案の詳細な説明】
【技術分野】
【０００１】  本考案は、片面に通し口を設けた巾着袋に関するものである。
【背景技術】
【０００２】  祭り用とされる巾着は手に持って使用するか、巾着の横部分にファスナーを付け物の出し入れをする装飾重視のものであった。
【考案の開示】
【考案が解決しようとする課題】
【０００３】  携帯電話の普及等により祭典時の携帯品が多くなる一方、祭典時は手荷物を持つ事が困難であったり、激しい動きが必要な場合装飾重視の巾着は動きに添わない為、収納物の取出し時開閉がしやすく、装着人の動きを妨げず、祭り衣装の装飾となる祭り用巾着袋を提供すること。
【課題を解決するための手段】
【０００４】  本考案は巾着の片面に、紐や帯の通し口を設け、当個所に腹掛けの結び紐や半被の上から巻く帯を通して使用する。日本独自の祭り衣装の雰囲気を損なう事無く、腰部に密着させて使用する事により、装着人の動きを妨げず容易な開閉を可能にした事を特徴とする巾着袋。
【考案の効果】
【０００５】  上記の様に本考案の巾着袋は動き易さに加え、祭典時の様々な衣装に対応して、収納物を取り出し易く保護する。半被を着用し帯を巻いてしまうと、腹掛けに物が入れ辛いが、本考案は帯にも装着できる為必需品の携帯や開閉が容易となる。又、本考案は腰部に密着する事により、携帯電話の振動呼び出し機能に気づき易くなる。
【考案の実施する為の最良の形態】
【０００６】  巾着の開閉用紐通し口は、最上部開口より多少下に設け、腹掛け等の紐通し部分は縦位置は開閉用紐通しと同じ個所に、横位置は巾着横幅の中心部とする。
【図面の簡単な説明】
【０００７】
【図１】本考案の祭り用巾着の実施例を示す正面図である。
【符号の説明】
【０００８】  １  巾着本体
２  開閉用紐
３  腹掛け結び紐、帯等通し口
【図１】
0003144861.tif 000003
(57)【要約】      （修正有）【課題】比較的シンプルな構成のサンダルにおける鼻緒に装飾性、趣好性を付与することを可能にし、以て着用者がお洒落を楽しみ、また、他のサンダルとの差別化を図ることができるサンダルを提供する。【解決手段】鼻緒３とサンダル台２から成るサンダル１であって、互いの軸部を嵌脱自在にされた表側の装飾部と裏側の固定部とから成る装飾バッジ５を、鼻緒３を挟んで装着可能にするために鼻緒３に、装飾バッジ装着孔４を一又は複数設けたことを特徴とするサンダルである。好ましくは、装着孔４は、ハート形、星形その他の装飾的形状に形成し、また、鼻緒３は装飾的形状に形成する。また、鼻緒３に装飾バッジ５を着脱可能に装着し、鼻緒３は装飾的形状に形成される。【選択図】図１
0003144126.tif 000002
【実用新案登録請求の範囲】
【請求項１】
鼻緒とサンダル台から成るサンダルであって、互いの軸部を嵌脱自在にされた表側の装飾部と裏側の固定部とから成る装飾バッジを、前記鼻緒を挟んで装着可能にするために前記鼻緒に、装飾バッジ装着孔を一又は複数設けたことを特徴とするサンダル。
【請求項２】
前記装着孔は、ハート形、星形その他の装飾的形状に形成されている、請求項１に記載のサンダル。
【請求項３】
前記鼻緒は装飾的形状に形成されている、請求項１又は２に記載のサンダル。
【請求項４】
鼻緒とサンダル台から成るサンダルであって、前記鼻緒に装飾バッジを着脱可能に装着して成ることを特徴とするサンダル。
【請求項５】
前記鼻緒は装飾的形状に形成されている請求項４に記載のサンダル。
【考案の詳細な説明】
【技術分野】
【０００１】
本考案はサンダル、より詳細には、鼻緒に装飾的要素を付加したビーチサンダル等のサンダルに関するものである。
【背景技術】
【０００２】
サンダルの鼻緒は一義的に、足を掛けて装着状態を保持する役割を担うものであり、特にビーチサンダルのようなシンプルな構成のサンダル類においては、鼻緒に装飾性を付与するようなことはあまり行われておらず、せいぜいその分岐部上に樹脂製花飾りを装着する程度のことが行われているに過ぎない。
【０００３】
【特許文献１】特開２００４−２６７４５７号公報
【考案の開示】
【考案が解決しようとする課題】
【０００４】
このように、ビーチサンダル等の比較的シンプルな構成のサンダル類の鼻緒は、それ自体装飾性、趣好性に乏しいものであった。そこで、本考案は、このような比較的シンプルな構成のサンダルにおける鼻緒に装飾性、趣好性を付与することを可能にし、以て着用者がお洒落を楽しみ、また、他のサンダルとの差別化を図ることができるサンダルを提供することを課題とする。
【課題を解決するための手段】
【０００５】
上記課題を解決するための請求項１に記載の考案は、鼻緒とサンダル台から成るサンダルであって、互いの軸部を嵌脱自在にされた表側の装飾部と裏側の固定部とから成る装飾バッジを、前記鼻緒を挟んで装着可能にするために前記鼻緒に、装飾バッジ装着孔を一又は複数設けたことを特徴とするサンダルであり、好ましくは、前記装着孔は、ハート形、星形その他の装飾的形状に形成し、また、前記鼻緒は装飾的形状に形成する。
【０００６】
また、上記課題を解決するための請求項４に記載の考案は、鼻緒とサンダル台から成るサンダルであって、前記鼻緒に装飾バッジを着脱可能に装着したことを特徴とするサンダルである。好ましくは、前記鼻緒は装飾的形状に形成される。
【考案の効果】
【０００７】
本考案によれば、ビーチサンダル等の鼻緒に、着用者自身の好みに合わせて装飾性、趣好性を扶養することができ、また、自ら装飾バッジを選択交換してお洒落を楽しむことができる効果がある。
【考案を実施するための最良の形態】
【０００８】
本考案を実施するための最良の形態について、図面に依拠して説明する。図１は、本考案の一実施形態を示すもので、本考案に係るサンダル１は、サンダル台２と鼻緒３とから成るという基本的形態において、一般のサンダルと変わりはない。また、材質についても特に問わず、一般的なゴムやプラスチック製、布製等とすることができる。但し、好ましくは、鼻緒３自体を装飾的形状に形成する。図示した例では、両側を波線状にしてある。
【０００９】
鼻緒３には、その左右一方の側又はその双方の側の任意の個所に、装飾バッジ５を装着するための装着孔４が、一又は複数形成される。装飾バッジ５は、装着時に鼻緒３の表側に出る装飾性を有する装飾部５ａと、鼻緒３の裏側に位置する固定部５ｂとから成る。装飾部５ａと固定部５ｂは共に軸部を有していて、一方の軸部が他方の軸部に装飾可能に嵌入されて、両者が一体となる。
【００１０】
装着孔４は、単なる円形や四角形等であってもよいが、より装飾的、趣好的効果を発現させるために、ハート形、星形その他の装飾的、趣好的な形状に形成することが好ましい。装着孔４を複数設ける場合、各装着孔４は同じ形状である必要はなく、種々取り混ぜることとしてもよい。また、鼻緒３の右側と左側とにおいて、装着孔４の形状、配置を変えることとしてもよい。
【００１１】
装飾バッジ５は、装飾部５ａの軸部と固定部５ｂの軸部を装着孔４内において嵌合することにより、鼻緒３を挟んで固定する。装飾バッジ５は予めサンダル１の鼻緒に装着されていてもよいが、別売りとして、着用者が装着することとしてもよい。着用者は、その後好みに合わせて装飾バッジ５を交換することができる。
【００１２】
この考案をある程度詳細にその最も好ましい実施形態について説明してきたが、この考案の精神と範囲に反することなしに広範に異なる実施形態を構成することができることは明白なので、この考案は添付請求の範囲において限定した以外はその特定の実施形態に制約されるものではない。
【図面の簡単な説明】
【００１３】
【図１】本考案の一実施形態を示す斜視図である。
【図２】本考案の一実施形態を示す分解斜視図である。
【符号の説明】
【００１４】
１    サンダル
２    サンダル台
３    鼻緒
４    装着孔
５    装飾バッジ
５ａ  装飾部
５ｂ  固定部
【図１】
0003144126.tif 000003
【図２】
0003144126.tif 000004
(57)【要約】      （修正有）【課題】低コストで実現でき、かつゴム印台木に様々な模様の装飾を施す事ができるゴム印用台木を提供する。【解決手段】木製のゴム印用台木であって、前記ゴム印用台木の側面のうち、印面に隣接または印面に対抗する背面に隣接する少なくとも１つの側面に化粧板を貼り合わせて成ることを特徴とするゴム印用台木。ゴム印用台木に貼り合わされる前記化粧板は、ポリエステル化粧板であることが好ましい。【選択図】図２
0003144157.tif 000002
【実用新案登録請求の範囲】
【請求項１】
木製のゴム印用台木であって、前記ゴム印用台木の側面のち、印面に隣接または印面に対抗する背面に隣接する少なくとも１つの側面に化粧板を貼り合わせて成ることを特徴とするゴム印用台木。
【請求項２】
前記化粧板が、ポリエステル化粧板である事を特徴とする請求項１に記載のゴム印用台木。
【請求項３】
前記化粧板が、前期ゴム印用台木の上面及び下面に張り合わされている事を特徴とする請求項１及び２に記載のゴム印用台木。
【考案の詳細な説明】
【技術分野】
【０００１】本発明は、木製のゴム印用台木に関する。
【背景技術】
【０００２】従来、ゴム印用台木の材料としては天然木、主として桂材が使用されてきた。
しかし、木からブロックを切り出して適当な大きさの直方体に調整した後、桂材を使用したゴム印用台木に、桂材以外の色で塗装を施す場合、桂塗装を施す面が明瞭かつ美しく見えるように、下地の桂材の色を隠蔽することが要求されるため、複数回に渡って重ね塗りを行う必要があり、桂材を用いた台木に意図する塗装を施すことは、非常に手間とコストがかかるといった問題点があった。
【発明が解決しようとする課題】
【０００３】本発明は、従来必要とされていた塗装工程を必要とすることなく、ゴム印用台木に、必要最小限の手間とコストによって、製造者の意図する明瞭かつ美しい装飾を施す事を可能とし、かつ殆ど未利用となっている木材資源を再利用する事により、環境に優しい循環型社会に貢献することを目的としたゴム印用台木を提供するものである。
【課題を解決するための手段】
【０００４】上記課題を解決するために本考案のゴム印用台木は、木製のゴム印用台木であって、前記ゴム印用台木の側面のうち、印面および印面に対抗する背面に隣接する少なくとも１つの面に化粧板を貼り合わせて成ることを特徴とする。
【０００５】そして、本考案のゴム印用台木に貼り合わされる前記化粧板は、ポリエステル化粧板である事が好ましい。さらに、本考案で使用する化粧板は、ゴム印用台木の上面及び下面のみに貼着される事が好ましい。
【考案の効果】
【０００６】化粧板としては、家具などに利用されなかったポリエステル化粧板、所謂、半端となった化粧板を用いるため、化粧版を無駄なく使用することができるので、コスト高を招く事なくゴム印用台木に容易に装飾を行う事ができる。
【０００７】また、全てのゴム印用台木の側面を化粧板で覆ってしまうのではなく、ゴム印用台木の上面及び下面のみに化粧板を張り合わせるため、台木の側面は、台木本体の木製の質感を保持させつつ、台木の上面及び下面は、様々な塗装がなされたポリエステル化粧板を貼着させる事ができるので、装飾の自由度が増し、全体として調和の取れたゴム印用台木を提供する事ができる。
【考案を実施するための最良の形態】
【０００８】以下、図面を参照して本考案の具体的な実施形態を詳述する。【０００９】図１は従来のゴム印用台木を示した斜視図、図２は本考案のゴム印用台木の断面図である。【００１０】図１に示すように、従来のゴム印用台木はムク材１を使用し、この台木に印面（図示しない）を形成する。その対抗する面に白色塗料を塗装し、塗装上に印面と同じ文字や模様を表示した見出し面２が設けられる。【００１１】図２は、本考案の台木を側面から図示したものであり、芯としてランバーコア３が使用され、印面４に隣接するゴム印用台木の上面及び下面に接着剤を塗付して、接着層５を形成する。【００１２】次に、接着層５の上に、化粧板６ａ、６ｂ、及び６ｃを接着面の大きさに合わせて貼着させる。本考案に用いる化粧板としては、化粧板に木目等の印刷や塗装を施した紙を貼り、その上からポリエステルをコーティングしたポリエステル化粧板が好ましい。【００１３】また、ゴム印用台木の木製の質感を保持させるために、台木側面及びこれに対抗する面（図示しない）に対しては、木製の質感を保つためにも、ポリエステル化粧板を貼着しない事が好ましい。【００１４】以上、本発明を実施例により詳細に説明したが、本発明はこれら実施例により限定されるものではない。【００１５】例えば、実施例では芯としてランバーコア３を用いたが、本考案に用いる芯として、ラワン合板やシナ合板等を用いても構わない。
【図面の簡単な説明】
【００１６】
【図１】従来のゴム印用台木を示した図である。
【図２】本考案のゴム印用台木の側面から見た図である。
【符号の説明】
【００１７】１  ムク材
２  見出し面
３  ランバーコア
４  印面
５  接着層
６ａ  化粧板
６ｂ  化粧板
６ｃ  化粧板
【図１】
0003144157.tif 000003
【図２】
0003144157.tif 000004
(57)【要約】      （修正有）【課題】キーを押し下げても指が仕切りに拘束されずスムーズにタイピングでき、また同じ仕切りの高さおよび形状でほとんどのキーボードに取り付けられるブラインドタッチ入力補助具を提供する。【解決手段】各指が押すキーの境界に、弾力性の高いゴム等を用いた直線上の仕切り１を下段に、仕切り２を上段に設け、これらの両端を２本の横棒３で張る。ただし、左右の人さし指間の仕切り４については、横棒３より加わる仕切りの張力を支えることのできる棒状のものとする。なお、左右の人さし指はキーを押す範囲が広く、仕切り４によって指が拘束されることは少ない。取り付けは、下段仕切り１をキーの上面に載せ、２本の横棒３、およびこれらと垂直に中央に設けた縦棒５を所定のキーとキーの間にはめて行う。キーとキーの間は通常谷の形をしているので、横棒３と縦棒５により水平方向のずれを防止できる。【選択図】図１
0003144160.tif 000002
【実用新案登録請求の範囲】
【請求項１】
パソコン等のキーボードにおいて、各指が押すキーの範囲の境界に設けた仕切りに、弾力性の高いものを用いたことを特徴とするブラインドタッチ入力補助具。
【請求項２】
パソコン等のキーボードにおいて、各指が押すキーの範囲の境界に仕切りを２段設け、下段をキーに載せ、キー間の谷状の部分にずれ止めを設けて取り付けることを特徴とするブラインドタッチ入力補助具。
【考案の詳細な説明】
【技術分野】
【０００１】
本考案は、パソコン等のキーボードにブラインドタッチで入力することがスムーズに行える補助具に関するものである。
【背景技術】
【０００２】
ブラインドタッチによる入力では、指ごとに押すキーが決められている。それで、各指が押すキーの範囲の境界に、キーより高い仕切りを設ければ、指の動きは決められたキーの範囲内に制限される。また指の移動をその仕切りに触れながら行えば、ガイドとして機能する。
【０００３】
したがって、このような仕切りを設けた補助具を用いればブラインドタッチによる入力が容易になる。
【０００４】
このことは、特許文献１や、特許文献２で公知となっている。
【特許文献１】実開昭６２−１４２０７８号公報
【特許文献２】特開平５−３４６７６０号公報
【考案の開示】
【考案が解決しようとする課題】
【０００５】
しかしこれらのものは、キーを押し下げるとき指が仕切りに拘束される場合があり、スムーズなタイピングができない。キーを押し下げたときに、指の腹等が仕切りに当たるのである。
【０００６】
また、取り付けにはキーボードのキー以外の場所を使うため、キー上面から仕切りまでの高さや形状を使用するキーボードの種類に合わせる必要があり、汎用性に乏しい。
【０００７】
本考案は上記の問題を解決するため、キーを押し下げても指が仕切りに拘束されずスムーズにタイピングでき、また同じ仕切りの高さおよび形状でほとんどのキーボードに取り付けられるブラインドタッチ入力補助具を提供することを目的とした。
【課題を解決するための手段】
【０００８】
各指が押すキーの境界に、弾力性の高い直線状の仕切りを一定の高さで２段設け、下段をキーに載せ、キー間の谷状の部分にずれ止めを設けて取り付けるブラインドタッチ入力補助具を考案した。
【考案の効果】
【０００９】
本考案のブラインドタッチ入力補助具を用いれば、従来の機能、すなわち仕切りが指の動きを決められた範囲内に制限すること、指を移動させるときガイドとなることを確保し、キーを押し下げるときは指が仕切りに拘束されない。また同じ仕切りの高さおよび形状でほとんどのキーボードに取り付けられることから、汎用性の高いものを提供できる。
【考案を実施するための最良の形態】
【００１０】
図１に示すように、各指が押すキーの境界に、弾力性の高いゴム等を用いた直線状の仕切り１を下段に、仕切り２を上段に設け、これらの両端を２本の横棒３で張る。ただし、左右の人さし指間の仕切り４については、横棒３より加わる仕切りの張力を支えることのできる棒状のものとする。なお、左右の人さし指はキーを押す範囲が広く、仕切り４によって指が拘束されることは少ない。
【００１１】
取り付けは、下段仕切り１をキーの上面に載せ、２本の横棒３、およびこれらと垂直に中央に設けた縦棒５を所定のキーとキーの間にはめて行う。キーとキーの間は通常谷の形をしているので、横棒３と縦棒５により水平方向のずれを防止できる。
【００１２】
この方法により、取り付けのためにキーボードのキー以外の場所を使うことがないため、形状を使用するキーボードの種類に合わせる必要がなく、したがってほとんどのキーボードにおいて同じ形状で使用できる。
【００１３】
また、下段仕切り１と上段仕切り２の間隔は一定なので、キー上面から仕切りまでの高さが同じものとして使用できる。
【図面の簡単な説明】
【００１４】
【図１】本考案に係るブラインドタッチ入力補助具をキーボードに取り付けた状態の外観斜視図である。
【図２】本考案に係るブラインドタッチ入力補助具をキーボードに取り付けた状態の断面図である。
【符号の説明】
【００１５】
１    下段仕切り
２    上段仕切り
３    横棒
４    中央仕切り
５    縦棒
【図１】
0003144160.tif 000003
【図２】
0003144160.tif 000004
【手続補正書】
【提出日】平成20年5月15日(2008.5.15)
【手続補正１】
【補正対象書類名】実用新案登録請求の範囲
【補正対象項目名】請求項２
【補正方法】変更
【補正の内容】
【請求項２】
パソコン等のキーボードにおいて、各指が押すキーの範囲の境界に仕切りを２段設け、下段をキーに載せ、キー間の谷状の部分にずれ止めを設けて取り付けることを特徴とする請求項１記載のブラインドタッチ入力補助具。
(57)【要約】      （修正有）【課題】コンクリート面にコアドリルを強く押しつけて穿孔しなくても切削することのできるダイヤモンドコアドリルを提供する。【解決手段】ダイヤモンドコアドリル本体とダイヤモンドコアの間にバランス調整装置を取り付け、ダイヤモンドコアをアンバランスに回転させて軸をぶらす事で微振動を発生させての切削は、抵抗が少なくなるので穿孔スピードが向上し、強く押しつけなくても穿孔できる。【選択図】図１
0003144155.tif 000002
【実用新案登録請求の範囲】
【請求項１】
本考案は、ダイヤモンドコアをアンバランスに回転させて軸をぶらす事で微振動を発生させるバランス調整装置を有するダイヤモンドコアドリル。
【考案の詳細な説明】
【技術分野】
【０００１】本考案は、コンクリート切削工具に使用するダイヤモンドコアに関する。
【背景技術】
【０００２】従来のダイヤコアは、切削抵抗が多いので穿孔スピードが上がらない。
【考案の開示】
【考案が解消しようとする課題】
【０００３】コンクリート面にコアードリルを強く押しつけて穿孔しないと切削できないので作業員は、長時間の作業が出来ない。
【課題を解決するための手段】
【０００４】そこで、ダイヤモンドコアードリルにバランス調整装置を取り付けてアンバランスに回転させると軸がぶれて微振動が発生する。
【考案の効果】
【０００５】微振動が発生することで切削抵抗が少なくなるので、強く押しつけなくても穿孔出来る。
【考案を実施するための最良の形態】
【０００６】ダイヤモンドコアードリル本体とダイヤモンドコアの接続の間にバランス調整装置を取り付ける。
【図面の簡単な説明】
【０００７】
【図１】ダイヤモンドコアードリル側面図
【図２】切削におけるダイヤモンドコア断面図
【図３】本考案のバランス調整装置側面図
【図４】本考案のバランス調整装置正面図
【符号の説明】
【０００８】１    ダイヤモンドコアードリル本体
２    バランス調整装置
３    ダイヤモンドコア
４    コンクリート
５    コアシャフト
Ａ    コアの軸
Ｂ    バランサーの軸
【図１】
0003144155.tif 000003
【図２】
0003144155.tif 000004
【図３】
0003144155.tif 000005
【図４】
0003144155.tif 000006
【手続補正書】
【提出日】平成20年5月19日(2008.5.19)
【手続補正１】
【補正対象書類名】実用新案登録請求の範囲
【補正対象項目名】全文
【補正方法】変更
【補正の内容】
【実用新案登録請求の範囲】
【請求項１】
本考案は、ダイヤモンドコアの軸をぶらす為にシャフトより大きな円柱形状で固有のバランサーの軸を有するダイヤモンドコアドリル。
(57)【要約】      （修正有）【課題】コンクリートとの擦れ合いによる摩擦抵抗を減らし、コアドリルの切削性能を持続できるようにするためのコアドリルシャンクを提供する。【解決手段】磁気によって鉄粉をコアドリルシャンク内側に吸着させて、コンクリートとコアドリルシャンクとの間に入り滑走材となり摩擦抵抗を減らす。これによりダイヤモンドコアの回転が落ちることなく本来の切削性能が持続できる。【選択図】図２
0003144151.tif 000002
【実用新案登録請求の範囲】
【請求項１】
コアドリルシャンクに磁気を帯びさせて鉄粉を吸着させて切削することを特徴とするダイヤモンドコア。
【考案の詳細な説明】
【技術分野】
【０００１】    本考案は、ダイヤモンドコアに関するものであり、コアドリルシャンクに磁気を帯びさせて鉄粉を吸着させ、鉄粉がコアドリルシャンクとコンクリートの擦れ合いによる摩擦抵抗を減らすことによってコアドリルの切削性能が持続できるようにしたものである。
【背景技術】
【０００２】従来のダイヤコアは、ダイヤモンド切削チップによってコンクリートに円溝を切削する。鉄筋切断時やコンクリートに含まれる硬質の石によって、蛇行切断をしている。蛇行によってコンクリートとコアドリルシャンクが擦れ合いながら切削をしている。
【考案の開示】
【考案が解消しようとする課題】
【０００３】コンクリートとコアドリルシャンクが擦れ合い、摩擦抵抗によってダイヤモンドコアの回転が落ちて、本来の切削性能が発揮できない不具合を解決することを課題とする。
【課題を解決するための手段】
【０００４】そこで、磁気によって鉄粉をコアドリルシャンク内側に吸着させて、コンクリートとコアドリルシャンクとの間に入り滑走材となり摩擦抵抗を減らすことができる。
【考案の効果】
【０００５】  鉄筋切断時やコンクリートに含まれる硬質の石によって、蛇行切断をしても鉄粉がコンクリートとコアドリルシャンクとの間に入り滑走材となりダイヤモンドコアの回転が落ちることなく本来の切削性能が持続できる。
【考案を実施するための最良の形態】
【０００６】鉄粉が吸着した、マグネットをコアドリルシャンク内の先端付近に吸着させる。
【図面の簡単な説明】
【０００７】
【図１】  ダイヤモンドコアードリル側面図
【図２】  切削におけるダイヤモンドコア断面図
【図３】  鉄筋切断時のダイヤモンドコア断面図
【符号の説明】
【０００８】１      ダイヤモンドコアードリル本体
２      コアドリルシャンク
３      コンクリート
４      ダイヤモンド切削チップ
５      鉄筋
６      マグネット
７      鉄粉
Ａ      切削逃げ寸法
【図１】
0003144151.tif 000003
【図２】
0003144151.tif 000004
【図３】
0003144151.tif 000005
【手続補正書】
【提出日】平成20年5月19日(2008.5.19)
【手続補正１】
【補正対象書類名】実用新案登録請求の範囲
【補正対象項目名】全文
【補正方法】変更
【補正の内容】
【実用新案登録請求の範囲】
【請求項１】
本考案は、コンクリート切削時に摩擦抵抗を減らすため、マグネットを有するコアドリルシャンク。
(57)【要約】      （修正有）【課題】柔軟性、接触体荷重分散性に優れた、座り姿勢の横ずれ防止、寝姿勢の左右体位変換時の支え具、寝床用敷物として床ずれ予防、治療に有効なクッション体とその組み合わせによる、身体支え具を提供する。【解決手段】クッション体は、弾力のある伸縮自在の布材又はシートと非伸縮布材又はシートで袋を作成し、その中に芯材として、流動性のある樹脂発泡ビーズ、樹脂チューブの短切りしたものなどを充填しクッション体を構成する。使用目的によって寸法及び形状は任意に作成できる。【選択図】図１
0003144154.tif 000002
【実用新案登録請求の範囲】
【請求項１】
クッション体として、下面に伸縮しない布材又はシート、上面に弾力のある伸縮自在な布材又はシートからなる袋に、流動性のある芯材として発泡樹脂製ビーズ状、樹脂チューブの短切り状などを充填したクッション体。
【請求項２】
人体を支えるクッション、寝床用敷物、ベッド、などの人体荷重を受ける目的の用具として単体又は複数の前記クッション体を袋又は枠などに、クッション体の上面が人体側となるように収納構成したことを特徴にした身体支え具。
【考案の詳細な説明】
【考案の詳細な説明】
【０００１】本考案は、日常生活で座り姿勢や寝姿勢をサポートする人体支え具で、特に寝床生活が長期に及ぶ人のあらゆる姿勢を支え、生活上とりたい姿勢が自力で無理があるときなどに、支え具によってサポートし、寝たきりなど自力で体位を換えることが困難な人の、体位変換時に人体を支える用具に、又は長時間寝たきりでも寝床用に身体支え具を備えると、人体荷重を分散する機能があるので、体位変換回数を減らす利点がある。
【産業上の利用分野】
【０００２】人体の座り姿勢を支えるにあたり、人体と支え具との接触面の荷重を分散させ、その姿勢の横滑りを防ぎ楽にその姿勢を維持させることが出来る。
【０００３】寝姿勢の支えは、床ずれ予防など体位変換時に、左右斜め横向きを支える時に人体の肩、背、腰、尻部と床の間に身体支え具を挟んでその姿勢をサポートする。
【０００４】床上での生活が長期になる場合、寝床用敷物やベッド上面に身体支え具を備えることで床ずれを防止する効果が期待できる。
【背景技術】
【０００５】従来の身体支え具は通称クッションに総称されていて、クッションの構造は繊維の袋にクッション材として植物繊維、化学繊維又は綿状、樹脂発泡成形品を充填したものでその他では気密性シートで袋状を形成し空気を充填したものなどがある。【０００６】又は寝床用敷物、ベッドのクッションには、上記のクッション材の他に防水シートで袋状を形成し水を充填したもの、スプリングを施したものなどがある。
このような従来のクッション機能は反発力が弱かったり、広い面での反発作用は認められるが狭い凸部位に掛かる荷重分散機能に難がある。
【考案が解決しようとする課題】
【０００７】本考案においては、寝たきりの人体上半身を起こす時ベッドリクライニングを起こし背中に身体支え具を挟み、その姿勢が横すべりするのを支えたり、長期間床に伏せる人の床ずれ予防などで、寝姿勢を変換した時、床と人体との間に挟みその姿勢を支える。この人体を支えるに当たり柔軟性と荷圧分散機能を備えた身体支え具を提供することを解決の課題とする。
【課題を解決するための手段】
【０００８】本考案のクッション体は、弾力のある伸縮自在の布材又はシートと非伸縮布材又はシートで袋を作成その中に芯材として、流動性のある樹脂発泡ビーズ、樹脂チューブの短切りしたものなどを充填しクッション体を構成する、使用目的によって寸法及び形状は任意に作成できる。
【０００９】本考案の身体支え具は、先に考案したクッション体を単体又は複数組み合わせ、用途に応じた形状と寸法の袋又は枠の中に、クッション体を収納する。
【００１０】用途に応じた身体支え具にするため、クッション体を複数組み合わせ一体化する手段として、簡単で利便性もある袋状又は、定置式にする場合は枠状の中に備えても良い。
【００１１】クッション体一体化袋は、人体と接触する側に弾力のある伸縮自在布材又はシート裏側に非伸縮自在布材又はシートで構成する。
【考案の効果】
【００１２】クッション体の芯材が荷重を受けると、受けた方向に自由な移動ができるが、弾力のある伸縮自在な布材又はシートが、芯材の移動を制限する、この移動とそれを制限する二つの働きの相乗効果が、荷重を分散する働きとなり、特に人体凸部の集中荷重を分散させることが可能なので、血流を妨げたり、人体局部の皮膚に、無理な引っ張り力も発生しにくいので床ずれ防止が期待できる。
【実施例】
【００１３】この実施例は図１クッション体構成図に示すように、弾力のある伸縮自在布材又はシート２と、非伸縮布材又はシート３を重ね外周を縫合４、溶着４、接着４などで袋を作成し、この袋に流動性のある樹脂発泡ビーズ、樹脂チューブ短切り状を充填しクッション体とする。【００１４】クッション体を複数組み合わせ、寝床用敷物に供する身体支え具を図２、図３にて説明する。図２は寝床用敷物平面図で大きさはほぼ敷きフトン位でクッション体を収納する袋６を作成する。袋６は図３断面図に示す上面に弾力のある伸縮自在布材又はシート８を、下面に非伸縮布材又はシート９で構成し、クッション体を収納する小部屋を確立する仕切り７を施し、クッション体１を収納し身体支え具とした。
【図面の簡単な説明】
【００１５】
【図１】クッション体構成図
【図２】身体支え具平面図
【図３】身体支え具断面図
【符号の説明】
【００１４】１：    クッション体
２：    弾力のある伸縮自在布材又はシート
３：    非伸縮布材又はシート
４：    接合部
５：    流動性のある芯材
６：    身体支え具
７：    仕切り
８：    弾力のある伸縮自在布材又はシート
９：    非伸縮布材又はシート
【図１】
0003144154.tif 000003
【図２】
0003144154.tif 000004
【図３】
0003144154.tif 000005
【手続補正書】
【提出日】平成20年5月21日(2008.5.21)
【手続補正１】
【補正対象書類名】実用新案登録請求の範囲
【補正対象項目名】全文
【補正方法】変更
【補正の内容】
【実用新案登録請求の範囲】
【請求項１】
クッション体として、下面に伸縮しない布材又はシート、上面に弾力のある伸縮自在な布材又はシートからなる袋に流動性のある芯材として発泡樹脂製ビーズ状、樹脂チューブの短切状などを充填したクッション体。
【請求項２】
前記クッション体を単独で身体部分を支えたり、複数組み合わせて身体全身を支えることもできることを特徴とする請求項１に記載したクッション体。
(57)【要約】      （修正有）【課題】貼付薬を腰、肩などの患部に貼る場合、目の届かないところでも貼付薬の形態を保てる貼付薬補助材を提供する。【解決手段】貼付薬薬面の反対面に紙又は合成樹脂フイルム等を粘着剤で貼り合わせることにより薬面保護フイルムを剥がした後でも貼付薬の形態を保つことが出来る、このことにより貼りづらい患部まで形態を保つたまま使用することができ、貼り付け後本補助材を剥がすことにより貼付薬本来の目的を果たす事ができる。【選択図】図１
0003144140.tif 000002
【実用新案登録請求の範囲】
【請求項１】
貼付薬薬面の反対面に患部に貼り付けるまでのあいだ形状を維持する為の補助紙又は合成樹脂フイルムを貼り付け一時的補助材とする。
【請求項２】
貼付薬薬面の反対面に身体に貼り付けるまでのあいだ形状を維持する為の補助紙又は合成樹脂フイルムを貼り付け薬面保護フイルムと一体化させた一時的補助材。
【考案の詳細な説明】
【技術分野】
【０００１】  本考案は貼付薬を身体に貼り付け時、貼付薬の形態を保つための補助をするものである。
【背景技術】
【０００２】  患部に貼る場合、他者の手によるか両手を使い貼り付けていた。
【考案の開示】
【考案が解決しようとする課題】
【０００３】  貼付薬は身体に密着させようと柔軟性の良い素材を使用しているが為、貼り付けようと薬面保護フイルムを剥がすと形態が安定せず容易に貼り付けることができない。補助材は前途の問題を解決しようとするものである。
【課題を解決するための手段】
【０００４】  貼付薬は薬面の保護フイルムを剥がすと形態が安定しなくなる、それを解消するため薬面の反対面に紙又は合成樹脂フイルムを貼り形態を安定させる。貼付薬を貼り終えたあと剥がすことにより通常の使用形態となる。
【考案の効果】
【０００５】  補助材を設けることにより貼ることが楽になり又途中で薬面と薬面が付くことが無くなる。
【考案の実施するための最良の形態】
【０００６】  補助材の貼り付けは粘着力の弱い粘着剤を使い貼付薬自体が剥がれることを防がなければならない、又はがし始めるヶ所を決めておき、そのヶ所約１ｃｍは粘着材を塗布しない。前途の方法で補助材を有効に活用することができる。
【実施例】
【０００７】  補助材は貼付薬と同じ大きさか、２ｍｍ程度大きめとする。
【図面の簡単な説明】
【０００８】
【図１】本考案の貼付薬と補助材の斜視図
【符号の説明】
【０００９】１  基材シート２  薬３  薬保護膜４  補助材
【図１】
0003144140.tif 000003
【手続補正書】
【提出日】平成20年5月19日(2008.5.19)
【手続補正１】
【補正対象書類名】実用新案登録請求の範囲
【補正対象項目名】全文
【補正方法】変更
【補正の内容】
【実用新案登録請求の範囲】
【請求項１】
貼付薬本体の上面に貼付薬と同じ大きさで長方形の紙又は合成樹脂フイルムを貼り付け一時的に貼付薬の形状を維持する為の補助材
【請求項２】
請求項１に記載した貼付薬補助材と薬面保護フイルムを同一方向の端部を重ね合わせ接着し一体化する、患部に貼付薬を貼ろうとする時、剥がした保護フイルムを持ち手として補助材を剥すことができることを特徴とする貼付薬補助材
(57)【要約】      （修正有）【課題】多種多様な形状の造形物に、ヤドカリの背負っている巻貝の貝殻を装着できる空洞を設け、そこにヤドカリを入れ、より楽しく飼育ができるようになるヤドカリ飼育用の造形物を提供する。【解決手段】造形物に、ヤドカリの背負っている巻貝の貝殻を装着できる空洞を設ける。【選択図】図３
0003144134.tif 000002
【実用新案登録請求の範囲】
【請求項１】
ヤドカリの背負っている巻貝の貝殻を装着する空洞を設けた造形物。
【請求項２】
巻貝を削ったり、パテや粘土状の物を用いて形状を変えたヤドカリの飼育の為の加工巻貝。
【請求項３】
巻貝に、覆い被せる形で用いるヤドカリの飼育の為の造形物。
【考案の詳細な説明】
【技術分野】
【０００１】本考案は、ヤドカリの背負っている貝殻に関するものである。【０００２】本考案は、ヤドカリの背負っている貝殻に、造形物のカバーを装着し、より楽しく飼育するものである。
【背景技術】ヤドカリは自然界の巻貝を背負うという形で生息し、そのままの状態で飼育を楽しむものである。また、巻貝状の内部構造をもった人工物に直接ヤドカリ本体を入れた場合、長期飼育は困難なものである。
【考案の開示】
【考案が解決しようとする課題】ヤドカリは貝殻を背負っているという固定概念に一切拘ることなく、もっと自由な発想で、造形物のモチーフを考え、より楽しくヤドカリの飼育をするものである。
【課題を解決するための手段】造形物に、ヤドカリの背負っている巻貝の貝殻を装着できる空洞を設ける。
【考案の効果】造形物の対象となるモチーフは、自由な発想で選ぶことができるので、例えば、お笑い芸人の顔や多種多様なキャラクターをモチーフとした造形物のカバーを作ることで、ヤドカリという生物をよりコミカルで魅力的な生物に演出することができる。
【考案を実施するための最良の形態】ヤドカリの背負っている巻貝の貝殻を装着できる空洞を設けた、多種多様なキャラクターをモチーフとした造形物のカバーを作る。
【実施例】一例として、ＶＷビートルをモチーフとした造形物のカバーの中にヤドカリを入れて、飼育水槽の中で、ＶＷビートルの造形物カバーを背負いながら、生活するヤドカリ。
【産業上の利用可能性】
【００１】チョコエッグ等、その商品の種類の多さからコレクション性が生じたように、本考案も、単なるヤドカリの飼育用品ということだけではなく、コレクターズアイテムとして受け入れられる。【００２】キャラクターの意匠や、所属タレントの肖像権の商業的利用の新たな形となります。【００３】販促品や景品等として、例えばビール・清涼飲料水・自動車等をモチーフとした造形物カバーや、その造形物カバーの中にヤドカリを入れて配布することで、意外性の高いＣＭ効果を狙える。
【図面の簡単な説明】
【図１】上面図
【図２】底面図
【図３】ヤドカリが入った状態の上面図
【符号の説明】
１  造形物カバー
２  ヤドカリを装着する空洞の入口
３  ヤドカリ
【図１】
0003144134.tif 000003
【図２】
0003144134.tif 000004
【図３】
0003144134.tif 000005
【手続補正書】
【提出日】平成20年1月7日(2008.1.7)
【手続補正１】
【補正対象書類名】実用新案登録請求の範囲
【補正対象項目名】全文
【補正方法】変更
【補正の内容】
【実用新案登録請求の範囲】
【請求項１】
従来の自然のままの巻貝を背負った状態ではなく、飼育者がより楽しくヤドカリの飼育ができる事を目的として、ヤドカリが好んで生息するように、巻貝のような螺旋状の空洞を設けた造形物。
【請求項２】
従来の自然のままの巻貝を背負った状態ではなく、飼育者がより楽しくヤドカリの飼育ができる事を目的とした事を特徴とする請求項１と請求項２記載の造形物と同じ目的で、自然の巻貝を削ったり、パテや粘土状の物を用いて形状を変えたヤドカリの飼育の為の巻貝を加工した造形物。
【請求項３】
従来の自然のままの巻貝を背負った状態ではなく、飼育者がより楽しくヤドカリの飼育ができる事を目的として、自然の巻貝に、覆い被せる形で用いるヤドカリの飼育の為の造形物。
【手続補正書】
【提出日】平成20年5月2日(2008.5.2)
【手続補正１】
【補正対象書類名】実用新案登録請求の範囲
【補正対象項目名】全文
【補正方法】変更
【補正の内容】
【実用新案登録請求の範囲】
【請求項１】
従来の自然のままの巻貝を背負った状態ではなく、飼育者がより楽しくヤドカリの飼育ができる事を目的として、自然の巻貝に、付属固定させる形で用いるヤドカリの飼育の為の造形物。
【請求項２】
従来の自然のままの巻貝を背負った状態ではなく、飼育者がより楽しくヤドカリの飼育ができる事を目的として、自然の巻貝に、付属固定させる形で用いることを特徴とする請求項１記載の造形物に、自然の巻貝を固定させた、ヤドカリの飼育の為の造形物。